(57)【特許請求の範囲】
【請求項１】
蛍光管と基板とを接続するコネクタにおいて、
前記蛍光管は、接続部となる前記蛍光管の一端を覆う口金を有し、
前記コネクタは、コンタクトと、前記コンタクトを保持するハウジングとを有し、前記コンタクトは、前記ハウジングヘ保持される保持部と、前記蛍光管の接続部と接続する第１接続部と、前記基板と接続する第２接続部とを有し、前記第１接続部は前記蛍光管の前記口金を誘い込む一対の先端部とこれに続く一対のバネ部とこれらを接続する基部を有し、前記一対のバネ部は、夫々第１のバネ部と前記第１のバネ部に連続した第２のバネ部とを有し、前記第２のバネ部は、前記基部から夫々延設され、前記第１のバネ部と第２のバネ部とによってＬ字形状に夫々形成されるとともに、当該一対のバネ部が対向する方向と直交する方向で、前記一対のバネ部の幅方向側からみてＬ字形状に形成されていることを特徴とするコネクタ。
【請求項２】
請求項１に記載のコネクタにおいて、前記一対のＬ字形状のバネ部は、前記口金を接触保持する半円形状に形成された部分を有することを特徴とするコネクタ。
【請求項３】
請求項１又は２に記載のコネクタにおいて、前記第２接続部は一対のバネ部を有し、それぞれの接点と固定端までの板幅が異なることを特徴とするコネクタ。
【請求項４】
請求項１乃至３の内のいずれか１項に記載のコネクタを有することを特徴とするバックライト組立体。
【請求項５】
請求項４に記載のバックライト組立体において、前記バックライト組立体は、前記蛍光管と、前記蛍光管の前記接続部と接続する前記コネクタと、前記コネクタと接続する基板と、前記コネクタを保持するための筺体とを有することを特徴とするバックライト組立体。
【請求項６】
請求項５に記載のバックライト組立体において、前記筐体は、板金と支持台とを有し、前記コネクタは、前記板金と前記支持台とにより遊嵌状態に保持されていることを特徴とするバックライト組立体。
【発明の詳細な説明】
【技術分野】
【０００１】
本発明は、バックライトコネクタとそれを用いたバックライト組立体に関し、詳しくは、液晶テレビ等の液晶パネル用バックライトコネクタとそれを用いたバックライト組立体に関する。
【背景技術】
【０００２】
従来、この種のバックライトに用いられる蛍光管としては、図１８に示すものが提案されている。図１８は従来の蛍光管の一例の端部を示す部分図である。図１８を参照すると、蛍光管６０は、ガラス管からなるランプ５２と、ランプの電極から引き出されたジュメット線５３とを備えている。
【０００３】
このような従来の蛍光管６０の接続に用いられるコネクタとしては、図１９（特許文献１、参照）及び図２０（特許文献２、参照）に示されるものがある。
【０００４】
図１９を参照すると、特許文献１に開示されたランプ接続部材（コネクタ）１２２は、図示しないフレームに形成された凹部の溝部に左右端がそれぞれ圧入されて、フレームに固定されている。ランプ接続部材１２２は、コンタクトからなり、略Ｈ字形状平面電極部１２２Ａと、中央部に設けられた穴状電極部１２２Ｂと、その両側に設けられた弧状電極部１２２ｃとを備えている。弧状電極部１２２ｃに連続してそれぞれ屈曲されて下側に伸びる一対のアーム１２４が設けられている。これら一対のアーム１２４の中程は、相互間が一旦狭くなってからそれぞれ円弧状に形成されることで、相互間に円状の空間を有したランプ保持部１２６とされている。さらにこれら一対のアーム１２４の先端側部分は、相互間が開いた構造になっている。
【０００５】
ランプ５２の円筒状に形成された入力端子、例えば、ジュメット線５３が、一対のアーム１２４の相互間が開いた先端側部分から、ランプ保持部１２６に取り付けることが出来る。また、ランプ５２の入力端子５３を取り外す際も、蛍光ランプ５２をランプ接続部材１２２から引き離すように力を加えれば、容易に取り外し可能となる。つまり、ランプ５２を簡易にランプ接続部材１２２に対して着脱可能な構造になっている。
【０００６】
平面電極部１２２Ａ上には、直方体状に形成され且つ弾性及び導電性を有したコネクタ材であるラバーコネクタ１３２が、設置されている。尚、このラバーコネクタ１３２内には複数本の金属線１３２Ａが等間隔で入っていて、導電性を確保している。
【０００７】
図２０を参照すると、蛍光管６０はランプホルダー１３０に固定される。ランプホルダー１３０は、蛍光管６０の一端部をガイドして固定し、蛍光管６０と電気的に接続され、蛍光管６０に電源電圧を印加する。ランプホルダー１３０はホルダー本体１４０及び電源印加部材１５０を含む。ホルダー本体１４０は底部１４１及びランプ支持部１４５を含む。ランプ支持部１４５は底部１４１から延長されて形成され、ランプ支持部１４５の上部には蛍光管６０の端部が配置されるランプガイド溝が形成される。
【０００８】
電源印加部材１５０は、ホルダー本体１４０の上部からホルダー本体１４０の底部１４１まで貫通するように配置される。電源印加部材１５０のうち底部１４１から突出した部分を接続端子として定義し、電源印加部材１５０のうち接続端子に連続して形成され、ホルダー本体１４０の上部に突出した部分を電源印加端子として定義する。電源印加端子は一側が開口したリング形状を有する。
【０００９】
蛍光管６０はランプホルダー１３０を通じて外部から電源電圧の印加を受けて光を出射する。なお、蛍光管６０は、前述したようにランプ５２、電極５３ｂ及びリード線（ジュメット線）５３を含む。
【００１０】
ランプ５２の端部はホルダー本体１４０に形成されたランプ支持溝によってガイドされる。
【００１１】
ジュメット線５３は、電極５３ｂと電源印加部材１５０とを電気的に接続する。具体的に、ジュメット線５３は連結部１６５及び離脱防止部５３ａを含む。連結部１６５は電極５３ｂからランプ５２の外部に延長され電源印加端子に接続される。離脱防止部５３ａは連結部１６５の端部に形成される。
【００１２】
ランプ５２の長さ方向に垂直である方向を基準にして、離脱防止部５３ａの第１断面積は連結部１６５の第２断面積より大きい。離脱防止部５３ａは連結部１６５の直径より大きな直径を有する球形状を有している。それにより、離脱防止部５３ａは、リード線５３が電源印加端子からランプ５２の長さの方向に離脱することを防止する。
【００１３】
しかしながら、図１９及び図２０に示したコネクタは、フォルダキャップおよび連結プレートの部材費用がかかる。また、ランプ（ＣＣＦＬ管）５２を挿入後、接触力を確保する為にコネクタのフォルダキャップを嵌め込む作業工数、およびコネクタ連結プレートに挿入し、連結プレートの板金を固定する為、作業工数がかかる。
【００１４】
また、コネクタ実装時および基板固定時にθズレが起きた場合、接続部がジュメット線である為、直接ジュメット線５３根元のガラス部に負荷がかかり、ガラス破損の原因となる可能性がある。
【００１５】
また、ランプ交換時には、ランプ取り外しが困難となり、他の部品も交換せざるを得ない構造となっている。
【００１６】
さらに、特許文献２のような蓋を埋め込み強制的にコンククトと接触させる構造になり蓋の部品費用及び蓋を嵌め込む作業が加算される。
【００１７】
これに対して、特許文献３には、蛍光管５５に口金５１を挿入した構成を有している。図２１は特許文献３に示された蛍光管を示す断面図、図２２は蛍光管を接続するためのコンタクトの斜視図、図２３はコンタクトを基板に装着したときの断面図である。
【００１８】
図２１を参照すると、Ｗ型の蛍光管５５の両端には、口金５１を挿入している。この口金５１を、挿入した蛍光管５５はシリコーン接着材５６により固定し、また、口金５１の外側面部分に、蛍光管５５の両端子であるジュメット線５３を半田付け５４している。この蛍光管５５は、図示しない反射板と保持部材であるコンタクト１０５により保持されている。反射板とコンタクト１０５の位置関係は、２個の保持部材１０５をバックライト基板に設けて、このバックライト基板を反射板に取り付けることにより、決定付けている。
【００１９】
図２２を参照すると、蛍光管５５を保持するコンタクト１０５は、蛍光管５５の高圧側とグランド側の各々に同形状のものを１個ずつ設定している。
【００２０】
コンタクト１０５は、蛍光管５５を保持するために同形状のツバ１０５ａと１０５ｂを設けている。このツバ１０５ａ及び１０５ｂの形状は、ツバの先端部分を蛍光管５５の両端に設けた口金５１の外径に適した径で曲げ加工を施している。また、ツバ全体にバネ性を持たせて、蛍光管５５の両端に設けた口金５１を、蛍光管５５の長手方向に対し直交方向の両側から挟み込み、保持することにより、コンタクト１０５から蛍光管５５が脱落することがない。
【００２１】
図２３に示すように、バックライト基板１０６には、Ｗ型蛍光管５５の長手方向に対して直交方向に２本の平行な長穴１０６ａと１０６ｂを設定する。そして、これら２本の平行な長穴には、コンタクト１０５のツバ１０５ｃ及び１０５ｄを夫々挿入する。ここで、コンタクト１０５のツバ１０５ｃ及び１０５ｄには、ツバの先端側から斜め方向に板バネ１０５ｅ及び板バネ１０５ｆを夫々設けてある。バックライト基板１０６の長穴１０６ａと１０６ｂにコンタクト１０５のツバ１０５ｃと１０５ｄを挿入すると、板バネ１０５ｅ、板バネ１０５ｆの先端がバックライト基板１０６の平面部分に引掛かり保持される。また、コンタクト１０５の回転防止のために、２本の平行な長穴１０６ａと１０６ｂにコンタクト１０５のツバ１０５ｃ及び１０５ｄを挿入している。
【００２２】
特許文献３のコネクタにおいては、コンタクト１０５を基板１０６に固定するために、基板１０６にコンタクト１０５の一部を挿入して、半田付けしなければならず、基板１０６と蛍光管５５との位置ずれの修正が困難であると共に、その設計や工程が難しかった。
【００２３】
また、蛍光管５５のランプ５０を口金５１に挿入して、接着剤で固定し、ジュメット線５３をこの口金５１に接着した後、引き出されたジュメット線を折り曲げて口金５１に半田付けしなければならず、その工程に工数を要し、コスト高となっていた。
【００２４】
【特許文献１】特開２００４−２９４５９２号公報
【特許文献２】特開２００６−３４４６０２号公報
【特許文献３】特開２０００−１２３６０４号公報
【発明の開示】
【発明が解決しようとする課題】
【００２５】
そこで、本発明の技術的課題は、蛍光管（ＣＣＦＬ管）とインバータ基板の電気的接続を目的としたコストが安価で組立作業性が向上した液晶パネル用バックライト組立体を提供することにある。
【課題を解決するための手段】
【００２６】
本発明によれば、蛍光管と基板とを接続するコネクタにおいて、
前記蛍光管は、接続部となる前記蛍光管の一端を覆う口金を有し、
前記コネクタは、コンタクトと、前記コンタクトを保持するハウジングとを有し、前記コンタクトは、前記ハウジングヘ保持される保持部と、前記蛍光管の接続部と接続する第１接続部と、前記基板と接続する第２接続部とを有し、前記第１接続部は前記蛍光管の前記口金を誘い込む一対の先端部とこれに続く一対のバネ部とこれらを接続する基部を有し、前記一対のバネ部は、夫々第１のバネ部と前記第１のバネ部に連続した第２のバネ部とを有し、前記第２のバネ部は、前記基部から夫々延設され、前記第１のバネ部と第２のバネ部とによってＬ字形状に夫々形成されるとともに、当該一対のバネ部が対向する方向と直交する方向で、前記一対のバネ部の幅方向側からみてＬ字形状に形成されていることを特徴とするコネクタが得られる。
【００２７】
また、本発明によれば、前記コネクタにおいて、前記一対のＬ字形状のバネ部は、前記口金を接触保持する半円形状に形成された部分を有することを特徴とするコネクタが得られる。
【００２８】
また、本発明によれば、前記いずれか一つのコネクタにおいて、前記第２接続部は一対のバネ部を有し、それぞれの接点と固定端までの板幅が異なることを特徴とするコネクタが得られる。
【００２９】
また、本発明によれば、前記いずれか一つのコネクタを有することを特徴とするバックライト組立体が得られる。
【００３０】
また、本発明によれば、前記バックライト組立体において、前記バックライト組立体は、前記蛍光管と、前記蛍光管の前記接続部と接続する前記コネクタと、前記コネクタと接続する基板と、前記コネクタを保持するための筺体とを有することを特徴とするバックライト組立体が得られる。
【００３１】
さらに、本発明によれば、前記バックライト組立体において、前記筐体は、板金と支持台とを有し、前記コネクタは、前記板金と前記支持台とにより遊嵌状態に保持され、前記第１接続部は一対のバネ部を有し、前記一対のバネ部は前記蛍光管の位置決めを可能にする形状を有することを特徴とするバックライト組立体が得られる。
【発明の効果】
【００３２】
本発明によれば、コネクタを連結プレートに挿入し、連結プレートを板金に固定する作業を行わず、コネクタを直接板金に挿入させる為、作業工数の削減が可能になる。
【００３３】
また、本発明によれば、コネクタ実装時、基板組立時にθズレが起きた場合でも、ランプに直接負荷がかからなく、また、θズレを吸収するフローティング端子形状である為、接続信頼性がある。
【発明を実施するための最良の形態】
【００３４】
以下、本発明の実施の形態について図面を参照しながら説明する。
【００３５】
図１は本発明の第１の実施の形態によるコネクタの構造を示す斜視図である。図１を参照すると、コネクタ１０ａは、ランプ５２の電極部の発熱性を考慮した耐熱性の高い（１６０℃程度）絶縁材からなるハウジング１と、導電性の良い金属製のコンタクト２とを有している。金属製のコンタクト２は、蛍光管（ＣＣＦＬ管）５０と、インバータ基板４０（図７，図８、及び図９参照）とを接続することに用いられる。蛍光管５０は、一端側がコンタクトに挿入される。なお、後述するように、インバータ基板４０は、コンタクトの他端に接触するように、コネクタ下部に開口した挿入口４に挿入される。
【００３６】
図２は図１のコネクタ１０ａに用いられる蛍光管（ＣＣＦＬ管）５０の端部を示す断面図である。図２を参照すると、蛍光管５０は、ランプ５２と、ランプ５２内部から引き出されたジュメット線５３と、接続部としてランプ５２の一端を覆う断面Ｕ字形状の金属製キャップからなる口金５１とを有している。口金５１の一端には、ジュメット線５３を通すための貫通穴が設けられ、ジュメット線５３は貫通穴より口金５１外部に引き出され、半田付け（半田付部５４を介する固定）又は圧接等の機械的な接続によって口金５１に電気接続されている。なお、口金５１とジュメット線５３との接続は、圧入やレーザ溶接等によって行われてもよい。
【００４１】
図３（ａ）は図１のコンタクト２を示す斜視図、図３（ｂ）は図１のコンタクトの正面図である。
【００４２】
図３（ａ）及び（ｂ）を参照すると、コンタクト２は、コ字形状の基部１４の端部から対向する一対の金属片によってランプ側接続部１８が形成されている。
【００４３】
第１接続部であるランプ側接続部１８は、蛍光管５０の一端の口金５１部分を誘い込む形状の一対の金属片からなる先端部１１と、これに続くＬ字形状（山形）に互いに外側に向かって突出した第１バネ部１２と、Ｌ字形状（谷形）に互いに内側に向かってくぼんだ第２バネ部１３とを有し、この第２バネ部１３はランプ側基部１４に接続されている。ランプ側基部１４の中央部から下方に向かって板片からなるフローティング部１５が設けられ、さらに、インバータ側の接続部１９が設けられている。コンタクト２のランプ挿入口である先端部１１は、口金５１が挿入し易くまた坐屈防止の為に斜めのテーパー形状を有する。
【００４４】
一対の第１バネ部１２は、半円状に形成された部分を有するため、ランプ（ＣＣＦＬ管）５２挿入後、口金５１部分を接触保持するとともに、ランプ５２の高さ方向（Ｙ方向）の位置決めを行うことの可能なコンタクト形状を有する。
【００４５】
また、第２バネ部１３を設けることによって、耐振動、耐衝撃を考慮し、ランプの高さ方向（Ｙ方向）の衝撃を吸収することが可能となっている。
【００４６】
第２接続部であるインバータ側の接続部１９は、フローティング部１５に接続されたインバータ側基部１７と、インバータ側基部１７の下端で幅方向の２点から下方に伸び、折れ曲がって上方に伸び山形をなして下方に曲がる略Ｓ字形状の一対の第３バネ部１６とを有している。
【００４７】
一対の第３のバネ部１６は、接触信頼性を高めるためにインバータ側基部１７から２つに分岐して２本平行に並んで形成されている。振動時の共振周波数を異ならせて接触信頼性を上げるために一対の第３のバネ部１６のそれぞれが異なるバネ性を持つ形状を有する、すなわち、バネ部の幅を異ならせている。
【００４８】
なお、共振周波数を異ならせるために、バネ部の板厚を変えたり、バネ部の長さを変えたり、あるいはこれらを組み合わせても良い。
【００４９】
インバータ側基部１７の両側には、このコンタクト２をハウジング１の収容部に圧入固定するための保持部としての圧入部１７ａと、両側下端部はその際のガイドを容易にするための面取り部１７ｂが設けられている。
【００５０】
図４（ａ）は図１のハウジング１の斜視図、図４（ｂ）は図１のハウジング１の背面側から眺めた斜視図である。
【００５１】
図４（ａ），（ｂ）及び図６を参照すると、ハウジング１は箱型であり、板金と支持台の隙間にＹ方向を抑制する為の構造を有する。具体的には、両側に支持台と板金に挿入した際の押さえ部となる断面Ｌ字形状の突出部３と、前側に台形状の突起部３ｄを有している。突出部３は、水平部３ｂと内側にテーパ部を備えた立上り部３ｃとを備え、それによって、リブ３１を収容する溝３ａを形成している。このテーパ部によって溝３ａ内にリブ３１の挿入がガイドされる。
【００５２】
また、ハウジング１の下部には、インバータ基板４０を挿入するための挿入口４が開口している。挿入口４には、インバータ基板４０の挿入性を考慮しテーパ形状を有する。
【００５３】
また、ハウジング１は、コンタクト２を組み込むことが可能な圧入口を有する。圧入口（図示せず）はコンタクト２の挿入性を考慮し、テーパ形状を有する。
【００５４】
また、板金２０への誤挿入防止するために、一角部にＣ面６を有している。
【００５５】
図５（ａ）、（ｂ）、図６は、図１のコネクタのバックライト組立体２５への組み立ての説明に供せられる斜視図で，図７は図６のバックライト組立体２５の裏面側から見た斜視図である。
【００５６】
図５（ａ）に示すように、コネクタ１０ａは、板金２０の角型穴２１に挿入される。その際に、板金２０にコネクタ１０ａは固定されない。次に、図５（ｂ）に示すように、コンタクト１に蛍光管５０を装着する。
【００５７】
次に図６に示すように、台形状の支持台３０を取り付ける。ここで、板金２０及び支持台３０を合わせて筐体と呼ぶ。
【００５８】
さらに、図７に示すように、インバータ基板４０を挿入口に挿入すること（カードエッジ構造の接続）で、バックライト組立体２５の組み立てが終了する。
【００５９】
図８（ａ）及び（ｂ）は支持台の作用の説明に供せられる正面図である。図８（ｃ）は図８（ｂ）のＡ部分の拡大図である。図８（ａ）を参照すると、支持台の内部には、下方に向かって延びる板状のリブ３１が設けられている。このリブ３１の間隔はコネクタ１０ａの幅と略等しく形成されている。図８（ｂ）に示すように、突出部の内側の溝３ａ内にリブ３１が挿入され、図８（ｃ）に示されるように、コネクタ１０ａ上下の動きが抑制される。
【００６０】
図９は支持台の変形例を示す図で（ａ）は正面図（ｂ）は側面断面図である。
【００６１】
図９（ａ）及び（ｂ）を参照すると、支持台３０内部にリブ３５が設けられ、コネクタ１０ａの上面を押さえる構成となっている。このリブ３５も、コネクタ１０ａの上下方向の動きを抑制することができる。
【００６２】
以上説明したように、本発明の第１の実施の形態においては、蛍光管（口金５１）とインバータ基板４０の接続をコネクタ化することにより、半田付けを行う作業工数の削減が可能となる。
【００６３】
また、本発明の第１の実施の形態においては、蛍光管５０の交換作業が容易になる為、従来のような交換作業工数および他の部品まで、交換する必要がなくなる。
【００６４】
さらに、本発明の第１の実施の形態によれば、蛍光管５０のジュメット線５３に直接負荷がかからない口金５１を有する構造であるため、ガラスにクラックが入る恐れが低減され、長期的に安定したランプの点灯を可能にする。
【００６５】
さらに、本発明の第１の実施の形態によれば、特許文献２のようなコネクタを連結プレートに挿入して連結プレートを板金に固定する作業を行わず、コネクタを直接板金２０に挿入させる為、作業工数の削減が可能になる。
【００６６】
また、本発明の第１の実施の形態によれば、特許文献２のようなフォルダキャップを嵌め込む作業が不要になる。
【００６７】
さらに、本発明の第１の実施の形態によれば、コネクタ実装時、基板組立時に筐体とコネクタ１０ａとの間、あるいは、コネクタ１０ａと蛍光管５０との間に位置ずれやθズレが起きた場合でも、ランプ５２に直接負荷がかからなく、また、θズレを吸収するフローティング部を備えたフローティング端子形状である為、接続信頼性がある。
【００６８】
図１０は本発明の第２の実施の形態によるコネクタの構造を示す斜視図である。図１１（ａ）は図１０のコネクタの上面図、図１１（ｂ）は斜視図、図１１（ｃ）は正面図、図１１（ｄ）は側面図である。
【００６９】
図１０、図１１（ａ）乃至図１１（ｄ）を参照すると、コネクタ１０ｂは、ランプ５２の電極部の発熱性を考慮した耐熱性の高い（１６０℃程度）絶縁材からなるハウジング１と、導電性の良い金属製のコンタクト２とを有している。金属製のコンタクト２は、蛍光管（ＣＣＦＬ管）５０と、インバータ基板４０（図７，図８、及び図９参照）とを接続することに用いられる。蛍光管５０は、一端側がコンタクトに挿入される。なお、後述するように、インバータ基板４０は、コンタクトの他端に接触するように、コネクタ下部に開口した挿入口４に挿入される。
【００７０】
コンタクト２は、図３（ａ）及び図３（ｂ）で説明したものと同様の構成を有している。
【００７１】
本発明の第２の実施の形態によるコネクタ１０ｂのハウジング１は、突出部５が立ち上がり部３ｃ、溝３ａを持たず、水平部３ｂを有する点で第１の実施の形態とは異なっている。
【００７２】
すなわち、ハウジング１は箱型であり、板金と支持台の隙間にＹ方向を抑制する為の構造を有する。具体的には、両側に支持台と板金に挿入した際の押さえ部となる突出部５と、前側に台形状の突起部３ｄを有している。突出部５は、水平部３ｂを有している。
【００７３】
また、ハウジング１の下部には、インバータ基板４０を挿入するための挿入口４が開口している。挿入口４には、インバータ基板４０の挿入性を考慮しテーパ形状を有する。
【００７４】
また、ハウジング１は、コンタクト２を組み込むことが可能な圧入口を有する。圧入口（図示せず）はコンタクト２の挿入性を考慮し、テーパ形状を有する。
【００７５】
また、板金２０への誤挿入防止するために、一角部にＣ面６（図１５参照）を有している。
【００７６】
図１２（ａ）、（ｂ）、図１３は図１０のコネクタのバックライト組立体２６への組み立ての説明に供せられる斜視図で，図１４は図１０のバックライト組立体２６の裏面側から見た斜視図である。図１５は板金のコネクタ挿入孔を示す図で、コンタクト２は一部のみ図示し、他は省略した図である。図１６はバックライト組立体の完成状態を示す断面図である。
【００７７】
図１２（ａ）に示すように、コネクタ１０ｂは、板金２０の角型穴２１に挿入される。その際に、板金２０にコネクタ１０ｂは固定されない。次に、図１２（ｂ）に示すように、コンタクト２に蛍光管５０を装着する。
【００７８】
図１５に示すように、角型穴２１のＸ方向、Ｙ方向の寸法、即ち、板金抜き寸法（ＰＤｘ、ＰＤｙ）は、例えば、１０．１ｍｍ、１１．９ｍｍであり、コネクタのＸ方向、Ｙ方向の寸法（ＣＤｘ、ＣＤｙ）は、例えば、９．８ｍｍ、１１．６ｍｍである、クリアランスはＸ方向、Ｙ方向ともに０．３ｍｍ程度である。また、角型穴２１の隅角部２１ａは、内側に角落とした形状に突出して形成されている。また、コネクタ１０ｂの一角部に面取りが施されたＣ面６が形成されている。コネクタ１０ｂのＣ面６と隅角部２１ａは、角型孔２１へのコネクタ１０ｂの誤挿入防止のために設けられている。
【００７９】
次に、図１３及び１４に示すように、台形状の支持台３０を取り付ける。ここで、板金２０及び支持台３０を合わせて筐体と呼ぶ。
【００８０】
さらに、図１４に示すように、インバータ基板４０を挿入口に挿入すると、即ち、カードエッジ構造の接続がなされ、バックライト組立体２６の組み立てが終了する。
【００８１】
図１６に示すように、バックライト組立体２６は、組み立て完成後において、夫々の具体的な寸法は、例えば、インバータ基板の厚さＴ１＝１．６ｍｍ、板金２０の厚さＴ２＝１．２ｍｍ、蛍光管の太さＴ３＝３．４ｍｍ、インバータ基板と中心と板金２０の上面までの距離Ｄ１２＝４ｍｍ、蛍光管の中心と板金２０の上面との距離Ｄ２３＝５ｍｍである。
【００８２】
図１７（ａ）及び図１７（ｂ）は、図１６のバックライト組立体の変形例を示す正面図、及び断面図である。
【００８３】
図１７（ａ）及び図１７（ｂ）で示すように、板金２０の代わりに基板２７を用いた場合においても、コネクタの上下方向の移動は、支持台３０の突出部で天井面を押えることで抑制している。
【００８４】
また、図１７（ｂ）に示すように、板金２８をコネクタの後方に設ける場合においても、コネクタ１０ｂの後面と板金２８との間に６ｍｍ以上の隙間を設けている。なお、コネクタ１０ｂの後面と板金２８との間に距離を設けるかわりに、支持台に、下方に突出する隔壁３７を設けても良い。
【００８５】
以上説明したように、本発明の第２の実施の形態においては、蛍光管（口金５１）とインバータ基板４０の接続をコネクタ化することにより、半田付けを行う作業工数の削減が可能となる。
【００８６】
また、本発明の第２の実施の形態においては、蛍光管５０の交換作業が容易になる為、従来のような交換作業工数および他の部品まで、交換する必要がなくなる。
【００８７】
さらに、本発明の第２の実施の形態によれば、蛍光管５０のジュメット線５３に直接負荷がかからない口金５１を有する構造であるため、ガラスにクラックが入る恐れが低減され、長期的に安定したランプの点灯を可能にする。
【００８８】
さらに、本発明の第２の実施の形態によれば、特許文献２のようなコネクタを連結プレートに挿入して連結プレートを板金に固定する作業を行わず、コネクタを直接板金２０に挿入させる為、作業工数の削減が可能になる。
【００８９】
また、本発明の第２の実施の形態によれば、特許文献２ようなフォルダキャップを嵌め込む作業が不要になる。
【００９０】
さらに、本発明の第２の実施の形態によれば、コネクタ実装時、基板組立時にθズレが起きた場合でも、ランプ５２に直接負荷がかからなく、また、θズレを吸収するフローティング部を備えたフローティング端子形状である為、接続信頼性がある。
【産業上の利用可能性】
【００９１】
以上の説明の通り、本発明のコネクタ及びバックライト組立体は、液晶テレビジョン等の液晶パネルのバックライト組立体に適用される。
【図面の簡単な説明】
【００９２】
【図１】本発明の実施の形態によるコネクタの構造を示す斜視図である。
【図２】図２は図１のコネクタ１０に用いられる蛍光管５０の端部を示す断面図である。
【図３】（ａ）は図１のコンタクト２を示す斜視図、（ｂ）は図１のコンタクトの正面図である。
【図４】（ａ）は図１のハウジング１の斜視図、（ｂ）は図１のハウジング１の背面側から眺めた斜視図である。
【図５】（ａ）、（ｂ）は、図１のコネクタのバックライト組立体２５への組み立ての説明に供せられる斜視図である。
【図６】図１のコネクタのバックライト組立体２５への組み立ての説明に供せられる斜視図である。
【図７】図６のバックライト組立体２５の裏面側から見た斜視図である。
【図８】（ａ）及び（ｂ）は支持台の作用の説明に供せられる正面図である。
【００９３】
（ｃ）は（ｂ）のＡ部分の拡大図である。
【図９】支持台の変形例を示す図で（ａ）は正面図（ｂ）は側面断面図である。
【図１０】本発明の第２の実施の形態によるコネクタの構造を示す斜視図である。
【図１１】（ａ）は図１０のコネクタの上面図である。
【００９４】
（ｂ）は図１０のコネクタの斜視図である。
【００９５】
（ｃ）は図１０のコネクタの正面図である。
【００９６】
（ｄ）は図１０のコネクタの側面図である。
【図１２】（ａ）、（ｂ）は図１０のコネクタのバックライト組立体２６への組み立ての説明に供せられる斜視図である。
【図１３】図１０のコネクタのバックライト組立体２６への組み立ての説明に供せられる斜視図である。
【図１４】図１０のバックライト組立体２６の裏面側から見た斜視図である。
【図１５】板金のコネクタ挿入孔を示す図で、コンタクトは一部のみ図示し、他は省略した図である。
【図１６】バックライト組立体の完成状態を示す断面図である。
【図１７】（ａ）は図１６のバックライト組立体の変形例を示す正面図である。
【００９７】
（ｂ）は図１６のバックライト組立体の変形例を示す断面図である。
【図１８】従来の蛍光管の一例の端部を示す部分図である。
【図１９】特許文献１に開示されたコネクタを示す斜視図である。
【図２０】特許文献２に開示されたコネクタを示す断面図である。
【図２１】特許文献３に示された蛍光管を示す断面図である。
【図２２】図２１の蛍光管を接続するためのコンタクトの斜視図である。
【図２３】図２１のコンタクトを基板に装着したときの断面図である。
【符号の説明】
【００９８】
１        ハウジング
２        コンタクト
３        突出部
３ａ      溝
３ｂ      水平部
３ｃ      立上り部
３ｄ      突起部
４        挿入口
５        突出部
６        Ｃ面
１０ａ，１０ｂ    コネクタ
１１      先端部
１２      第１バネ部
１３      第２バネ部
１４      基部
１５      フローティング部
１６      第３のバネ部
１７      インバータ側基部
１７ａ    圧入部
１７ｂ    面取り部
１８      ランプ側接続部（第１接続部）
１９      インバータ側接続部（第２接続部）
２０      板金
２１      角型穴
２７      基板
２８      板金
３０      支持台
３１，３５    リブ
４０      インバータ基板
５０      蛍光管（ＣＣＦＬ管）
５１      口金
５２      ランプ
５３      ジュメット線
５３ａ    離脱防止部
５３ｂ    電極
５５      蛍光管
５６      シリコーン接着材
５４      半田付け
６０      蛍光管
１０５    コンタクト
１０５ａ，１０５ｂ，１０５ｃ，１０５ｄ  ツバ
１０６    バックライト基板
１０６ａ，１０６ｂ    長穴
１２２    ランプ接続部材（コネクタ）
１２２Ａ  略Ｈ字形状平面電極部
１２２Ｂ  穴状電極部
１２２Ｃ  弧状電極部
１２４    アーム
１２６    ランプ保持部
１３０    ランプホルダー
１３２    ラバーコネクタ
１３２Ａ  金属線
１４０    ホルダー本体
１４１    底部
１４５    ランプ支持部
１５０    電源印加部材
１６５    連結部
【図１】
0004298766.tif 000002
【図２】
0004298766.tif 000003
【図３】
0004298766.tif 000004
【図４】
0004298766.tif 000005
【図５】
0004298766.tif 000006
【図６】
0004298766.tif 000007
【図７】
0004298766.tif 000008
【図８】
0004298766.tif 000009
【図９】
0004298766.tif 000010
【図１０】
0004298766.tif 000011
【図１１】
0004298766.tif 000012
【図１２】
0004298766.tif 000013
【図１３】
0004298766.tif 000014
【図１４】
0004298766.tif 000015
【図１５】
0004298766.tif 000016
【図１６】
0004298766.tif 000017
【図１７】
0004298766.tif 000018
【図１８】
0004298766.tif 000019
【図１９】
0004298766.tif 000020
【図２０】
0004298766.tif 000021
【図２１】
0004298766.tif 000022
【図２２】
0004298766.tif 000023
【図２３】
0004298766.tif 000024